(57)【要約】【課題】光学ユニットが拡張される場合であっても、操作部を増加させることなく、省スペース化を行うとともに、簡易な操作で観察法に応じた光学ユニットを調整することができる顕微鏡を提供する。【解決手段】顕微鏡１は、顕微鏡本体１０と、顕微鏡本体１０に着脱自在に取り付けられ、光源１１が発する光の光路に対して挿脱可能または光路の光軸ＸＡを中心に回転可能なコンデンサユニット１４と、複数の光学ユニットのうち制御対象の光学ユニットを駆動させる駆動信号の入力をそれぞれ受け付ける複数の入力部を有する操作入力部３と、顕微鏡本体１０に取り付けられたコンデンサユニット１４に応じて、操作入力部３の複数の入力部それぞれが駆動信号で駆動させる光学ユニットの割り当てる制御部６と、を備える。【選択図】図１
2014197108.tif 000002
【特許請求の範囲】
【請求項１】
標本を照射する光を発生する光源と、
前記光源を支持するとともに、前記標本を収容した収容部が載置される顕微鏡本体と、
各々が顕微鏡本体に着脱自在に取り付けられ、前記光の光路上に配置可能であり、入射した前記光の光学特性を変化させる複数の光学ユニットと、
前記複数の光学ユニットのうち制御対象の光学ユニットを駆動させる駆動信号の入力をそれぞれ受け付ける複数の入力部を有する操作入力部と、
前記顕微鏡本体に取り付けられた前記複数の光学ユニットに応じて、前記複数の入力部それぞれが前記駆動信号で駆動させる光学ユニットを割り当てる制御部と、
を備えたことを特徴とする顕微鏡。
【請求項２】
前記操作入力部は、当該顕微鏡が実行可能な複数の観察法それぞれを指示する指示信号の入力を受け付ける複数の観察入力部をさらに有し、
前記制御部は、前記顕微鏡本体に取り付けられる前記複数の光学ユニットに応じて、前記複数の観察入力部それぞれが前記指示信号で入力を受け付ける前記観察法を割り当てることを特徴とする請求項１に記載の顕微鏡。
【請求項３】
前記制御部は、前記顕微鏡本体に取り付けられる前記複数の光学ユニットのうち当該顕微鏡のモードを切り替える特定の光学ユニットの接続情報に応じて、前記複数の観察入力部それぞれが前記指示信号で入力を受け付ける前記観察法および前記複数の入力部それぞれが前記駆動信号で駆動させる光学ユニットを割り当てることを特徴とする請求項２に記載の顕微鏡。
【請求項４】
前記制御部は、前記観察入力部から入力される前記指示信号が指示する観察法に応じて、前記複数の入力部それぞれが前記駆動信号で入力を受け付ける光学ユニットの割り当てを切り替えることを特徴とする請求項２または３に記載の顕微鏡。
【請求項５】
前記制御部は、
当該顕微鏡のモードを切り替える切替信号の入力を受け付けるモード切替部と、
前記モード切替部が入力を受け付けた前記切替信号に応じて、前記複数の入力部それぞれが前記駆動信号で入力を受け付ける光学ユニットの割り当てを切り替える切替制御部と、
を有することを特徴とする請求項１に記載の顕微鏡。
【発明の詳細な説明】
【技術分野】
【０００１】
本発明は、ステージ上に載置された標本を観察する顕微鏡の技術に関し、特に、顕微授精に好適な顕微鏡に関する。
【背景技術】
【０００２】
近年、顕微鏡の一用途として、高度生殖医療の分野における顕微授精が知られている。顕微授精は、顕微鏡下で精子と卵子とを授精させる方法であり、一般に、精子が納められたマイクロピペットをホールティングピペットで固定された卵子に突き刺して卵子に精子を注入する卵細胞質内精子注入法（Intracytoplasmic  Sperm  Injection：以下、「ＩＣＳＩ」という）により行われる。このＩＣＳＩでは、ステージ上で標本を操作するため、ステージの上方に大きな作業空間を有する倒立顕微鏡を用いることが一般的である。
【０００３】
また、顕微授精の分野では、卵子の授精率を向上させるため、卵子を立体的に観察可能なレリーフコントラスト観察法（以下、「ＲＣ観察法」という）、精子の観察に適した微分干渉観察法（以下、「ＤＩＣ観察法」という）および卵子の紡錘体を観察可能な偏光観察法（以下、「ＰＯ観察法」という）が知られている（特許文献１参照）。
【０００４】
また、近年、顕微鏡では、電動焦準ユニットや電動光学素子切替ユニット等の複数の電動ユニットで構成された顕微鏡が知られている（特許文献２参照）。この技術では、操作部に設けられた複数のボタンそれぞれに電動ユニットを駆動させる指示信号の入力を受け付ける機能を割り当てる。
【先行技術文献】
【特許文献】
【０００５】
【特許文献１】特開昭５１−２９１４９号公報
【特許文献２】国際公開第１９９６／１８２９４号
【発明の概要】
【発明が解決しようとする課題】
【０００６】
ところで、上述した従来のＩＣＳＩの顕微鏡では、観察法毎にコントラストを調整しながら標本を観察することができる。しかしながら、ＩＣＳＩの顕微鏡では、観察法毎にコントラストを調整する光学ユニットが異なる。このため、ユーザがコントラストを調整する作業は、光学ユニット毎に割り当てられた操作部のボタンを観察法毎に操作しなければならず、操作が煩雑になるという問題点があった。
【０００７】
また、従来のＩＣＳＩの顕微鏡に、上述した特許文献１および特許文献２の技術を組み合わせても、光学ユニット毎に操作部を設ける必要が生じるため、光学ユニットの拡張に伴って操作部が増加することで、設置スペースが拡大するという問題点があった。
【０００８】
本発明は、上記に鑑みてなされたものであって、光学ユニットが拡張される場合であっても、操作部を増加させることなく、省スペース化を行うとともに、簡易な操作で観察法に応じた光学ユニットを調整することができる顕微鏡を提供することを目的とする。
【課題を解決するための手段】
【０００９】
上述した課題を解決し、目的を達成するために、本発明にかかる顕微鏡は、標本を照射する光を発生する光源と、前記光源を保持するとともに、前記標本を収容した収容部が載置される顕微鏡本体と、各々が顕微鏡本体に着脱自在に取り付けられ、前記光の光路上に配置可能であり、入射した前記光の光学特性を変化させる複数の光学ユニットと、前記複数の光学ユニットのうち制御対象の光学ユニットを駆動させる駆動信号の入力をそれぞれ受け付ける複数の入力部を有する操作入力部と、前記顕微鏡本体に取り付けられた前記複数の光学ユニットに応じて、前記複数の入力部それぞれが前記駆動信号で駆動させる光学ユニットを割り当てる制御部と、を備えたことを特徴とする。
【００１０】
また、本発明にかかる顕微鏡は、上記発明において、前記操作入力部は、当該顕微鏡が実行可能な複数の観察法それぞれを指示する指示信号の入力を受け付ける複数の観察入力部をさらに有し、前記制御部は、前記顕微鏡本体に取り付けられる前記複数の光学ユニットに応じて、前記複数の観察入力部それぞれが前記指示信号で入力を受け付ける前記観察法を割り当てることを特徴とする。
【００１１】
また、本発明にかかる顕微鏡は、上記発明において、前記制御部は、前記顕微鏡本体に取り付けられる前記複数の光学ユニットのうち当該顕微鏡のモードを切り替える特定の光学ユニットの接続情報に応じて、前記複数の観察入力部それぞれが前記指示信号で入力を受け付ける前記観察法および前記複数の入力部それぞれが前記駆動信号で駆動させる光学ユニットを割り当てることを特徴とする。
【００１２】
また、本発明にかかる顕微鏡は、上記発明において、前記制御部は、前記観察入力部から入力される前記指示信号が指示する観察法に応じて、前記複数の入力部それぞれが前記駆動信号で入力を受け付ける光学ユニットの割り当てを切り替えることを特徴とする。
【００１３】
また、本発明にかかる顕微鏡は、上記発明において、前記制御部は、当該顕微鏡のモードを切り替える切替信号の入力を受け付けるモード切替部と、前記モード切替部が入力を受け付けた前記切替信号に応じて、前記複数の入力部それぞれが前記駆動信号で入力を受け付ける光学ユニットの割り当てを切り替える切替制御部と、を有することを特徴とする。
【発明の効果】
【００１４】
本発明にかかる顕微鏡によれば、制御部が顕微鏡本体に取り付けられた複数の光学ユニットに応じて、操作入力部の複数の入力部それぞれが駆動信号で駆動させる光学ユニットの割り当てを切り替えるので、光学ユニットが拡張される場合であっても、操作入力部を増加させることなく、省スペース化を行うとともに、簡易な操作で観察法に応じた光学ユニットを調整することができるという効果を奏する。
【図面の簡単な説明】
【００１５】
【図１】図１は、本発明の実施の形態１にかかる顕微鏡の概略構成を示す概念図である。
【図２】図２は、本発明の実施の形態１にかかる顕微鏡の構成を示すブロック図である。
【図３】図３は、標本を含むシャーレの平面図である。
【図４】図４は、図３のＡ−Ａ線断面図である。
【図５】図５は、本発明の実施の形態１にかかる顕微鏡の操作入力部の構成を示す図である。
【図６】図６は、本発明の実施の形態１にかかる顕微鏡の設定情報記録部が記録する設定情報を示す図である。
【図７】図７は、本発明の実施の形態１にかかる顕微鏡のシステム照合情報記録部が記録するシステム照合情報を示す図である。
【図８】図８は、本発明の実施の形態１にかかる顕微鏡が実行する処理の概要を示すフローチャートである。
【図９】図９は、本発明の実施の形態１にかかる顕微鏡の操作入力部における各ボタンの割り当ての一例を示す図である。
【図１０】図１０は、本発明の実施の形態１にかかる顕微鏡の操作入力部における各ボタンの割り当ての別の一例を示す図である。
【図１１】図１１は、本発明の実施の形態２にかかる顕微鏡の概略構成を示すブロック図である。
【図１２】図１２は、本発明の実施の形態２にかかる顕微鏡の制御対象情報記録部が記録する制御対象情報を示す図である。
【図１３】図１３は、本発明の実施の形態２にかかる顕微鏡が実行する処理の概要を示すフローチャートである。
【図１４】図１４は、本発明の実施の形態３にかかる顕微鏡の概略構成を示すブロック図である。
【図１５】図１５は、本発明の実施の形態４にかかる顕微鏡の概略構成を示すブロック図である。
【図１６】図１６は、本発明の実施の形態４にかかる顕微鏡が実行する処理の概要を示すフローチャートである。
【発明を実施するための形態】
【００１６】
以下、図面を参照して、本発明を実施するための形態（以下、「実施の形態」という）について説明する。なお、以下に説明する実施の形態によって本発明が限定されるものではない。さらに、図面の記載において、同一の部分には同一の符号を付して説明する。
【００１７】
（実施の形態１）
図１は、本発明の実施の形態１にかかる顕微鏡の概略構成を示す概念図である。図２は、本発明の実施の形態１にかかる顕微鏡の構成を示すブロック図である。図１および図２において、顕微鏡１が載置される平面をＸＹ平面とし、ＸＹ平面と垂直な方向をＺ方向として説明する。
【００１８】
図１および図２に示す顕微鏡１は、標本Ｓｐが収容されたシャーレ１００を観察する顕微鏡本体部２と、顕微鏡１の各種の操作の入力を受け付ける操作入力部３と、顕微鏡本体部２が撮像した画像データに対応する画像を表示する表示部４と、顕微鏡１を駆動する各種プログラムやパラメータ等を記録する記録部５と、顕微鏡本体部２、操作入力部３および表示部４を制御する制御部６と、を備える。顕微鏡本体部２、操作入力部３、表示部４、記録部５および制御部６は、データを送受信可能に有線または無線で接続されている。
【００１９】
まず、顕微鏡本体部２について詳細に説明する。顕微鏡本体部２は、顕微鏡本体１０と、光源１１と、フィルタホイール１２と、第１ミラー１３と、コンデンサユニット１４と、ステージ１５と、レボルバ１６と、対物レンズ１７と、ＤＩＣプリズム１８と、アナライザ１９と、結像レンズ２０と、光路分割プリズム２１と、撮像部２２と、第２ミラー２３と、接眼レンズ２４と、駆動制御部２５と、を備える。なお、本実施の形態１では、フィルタホイール１２、コンデンサユニット１４、レボルバ１６、対物レンズ１７、ＤＩＣプリズム１８およびアナライザ１９が光学ユニットとして機能する。
【００２０】
顕微鏡本体１０は、光源１１を支持するとともに、ステージ１５を介して標本Ｓｐを収容したシャーレ１００（収容部）が載置される筐体１０１と、筐体１０１に取り付けられ上方へ延びる照明支持部１０２と、照明支持部１０２の上端から照明支持部１０２が延びる方向と直交する方向に延び、光源１１およびフィルタホイール１２を保持する第１アーム部１０３と、第１アーム部１０３と筐体１０１との間から照明支持部１０２が延びる方向と直交する方向に延び、コンデンサユニット１４を保持する第２アーム部１０４と、筐体１０１の側面のうち接眼レンズ２４が設けられて顕微鏡本体部２のユーザと対向する側面である前面（図１の左側面）に設けられる鏡筒１０５と、を有する。
【００２１】
光源１１は、制御部６の制御のもと、標本Ｓｐを照射する光を発生する。光源１１は、ハロゲンランプ、キセノンランプまたはＬＥＤ（Light  Emitting  Diode）等によって構成される。
【００２２】
フィルタホイール１２は、光源１１が照射した照明光を減光する。フィルタホイール１２は、互いに異なる波長帯域を透過させる第１フィルタ１２１および第２フィルタ１２２を有する。フィルタホイール１２は、駆動制御部２５の駆動制御のもと、ステッピングモータまたはＤＣモータ等によって構成されたモータ１２ａによって光路上に第１フィルタ１２１または第２フィルタ１２２を配置する。
【００２３】
第１ミラー１３は、光源１１から照射された照明光をコンデンサユニット１４に向けて反射する。なお、第１ミラー１３とフィルタホイール１２との光路上に、複数のリレーレンズを設けてもよい。
【００２４】
コンデンサユニット１４は、顕微鏡本体１０の第２アーム部１０４に着脱自在に取り付けられる。コンデンサユニット１４は、光源１１が発する光の光路に対して挿脱可能またはコンデンサユニット１４の光軸ＸＡを中心に回転可能な複数の光学ユニットを有する。具体的には、コンデンサユニット１４は、ポラライザ１４１と、コンペンセータ１４２と、コンデンサターレット１４３と、コンデンサレンズ１４４と、を有する。コンデンサユニット１４は、光源１１側からポラライザ１４１、コンペンセータ１４２、コンデンサターレット１４３および、コンデンサレンズ１４４の順で設けられる。
【００２５】
ポラライザ１４１は、光路上に配置され、光源１１が照射する照明光の１方向の偏光成分のみを透過させる。ポラライザ１４１は、コンデンサユニット１４の光軸ＸＡ中心にして回転可能に配置される。ポラライザ１４１は、フィルタ等の光学素子の１つである偏光板を用いて構成される。また、ポラライザ１４１は、駆動制御部２５の駆動制御のもと、ステッピングモータまたはＤＣモータ等によって構成されたモータ１４１ａによって光路の光軸ＸＡを中心にして回転させられる。
【００２６】
コンペンセータ１４２は、標本Ｓｐの異方性による位相差を測定するための光学素子であり、標本Ｓｐのリタデーションを可変する構造を有する。コンペンセータ１４２は、コンデンサユニット１４の光軸ＸＡを中心として回転可能に配置される。また、コンペンセータ１４２は、駆動制御部２５の駆動制御のもと、ステッピングモータまたはＤＣモータ等によって構成されたモータ１４２ａによって光路の光軸ＸＡを中心にして回転させられる。
【００２７】
コンペンセータ１４２は、液晶または波長板を用いて構成される。具体的には、コンペンセータ１４２は、ベレークコンペンセータ、セナルモン式コンペンセータ、ブレースケーラコンペンセータ、石英楔コンペンセータおよび液晶変調素子を用いて構成される。コンペンセータ１４２としては、卵子の紡錘体を観察するＰＯ観察を行う際に視野のリタデーションがほぼ均一となることが望ましいため、液晶変調素子、セナルモン式コンペンセータ、ブレースケーラコンペンセータが好ましい。なお、コンペンセータ１４２として、液晶変調素子を用いる場合、液晶分子を電気的に制御することによって、リタデーションを変化させることができる。
【００２８】
また、コンペンセータ１４２として、セナルモン式コンペンセータを用いる場合、コンペンセータ１４２内の波長板に対するポラライザ１４１の回転によって、コンペンセータ１４２のリタデーションを変化させることができる。さらに、コンペンセータ１４２として、ブレースケーラコンペンセータを用いる場合、コンペンセータ１４２内のプリズムの回転によって、コンペンセータ１４２のリタデーションを変化させることができる。
【００２９】
コンデンサターレット１４３は、観察方法や対物レンズ１７の倍率に応じて切り替えて用いられる複数の光学素子を有し、光路上に回転可能に配置される。コンデンサターレット１４３は、観察法に応じて回転させられることによって、いずれかの光学素子を光路上に配置する。また、コンデンサターレット１４３は、駆動制御部２５の駆動制御のもと、ステッピングモータまたはＤＣモータ等によって構成されたモータ１４３ａによって回転させられる。コンデンサターレット１４３は、開口１４３ｂと、ＲＣ観察用開口板１４３ｃと、ＤＩＣプリズム１４３ｄと、を有する。
【００３０】
開口１４３ｂは、コンデンサターレット１４３の回転により光路上に配置される。開口１４３ｂは、コンデンサターレット１４３とともに開口板（空穴）を構成する。開口１４３ｂは、光源１１からの照明光を遮らない十分な大きさで形成され、開口数の高い照明を実現する。開口１４３ｂは、たとえば、顕微鏡１が明視野観察法（以下、「ＢＦ観察法」という）またはＰＯ観察法を行う際に用いられる。具体的には、開口１４３ｂは、顕微鏡１がＢＦ観察法を行う場合、ユーザが顕微授精の準備のため、４倍または１０倍の対物レンズ１７を用いてシャーレ１００内における場所探しやマニピュレータによって操作されるマイクロピペットの針先の位置決め等を行う際に用いられる。
【００３１】
ＲＣ観察用開口板１４３ｃは、コンデンサターレット１４３の回転により光路上に配置される。ＲＣ観察用開口板１４３ｃは、ＲＣ観察に用いられる開口板であり、光路上に配置された際に光路から偏心した位置に形成された開口の一部に偏光板（図示せず）を有する。開口は、ＲＣ観察用開口板１４３ｃの中心からずれた位置に形成されることによって偏射照明を実現する。偏光板は、ポラライザ１４１を透過した光の１方向の偏光成分のみを透過させる。このように構成されたＲＣ観察用開口板１４３ｃは、たとえば、顕微鏡１が２０倍のＲＣ観察法を行う場合に用いられる。
【００３２】
ＤＩＣプリズム１４３ｄは、コンデンサターレット１４３の回転により光路上に配置される。ＤＩＣプリズム１４３ｄは、後述する対物レンズ１７側の像側に配置されたＤＩＣプリズム１８と対をなし、微分干渉光学系を構成する。ＤＩＣプリズム１４３ｄは、ノマルスキープリズム等を用いて構成される。ＤＩＣプリズム１４３ｄは、たとえば、顕微鏡１が６０倍のＤＩＣ観察法を行う際に用いられる。
【００３３】
このように構成されたコンデンサターレット１４３は、観察法に応じて、コンデンサターレット１４３がモータ１４３ａによって回転させられることによって、光路上に配置される光学素子が切り替えられる。具体的には、コンデンサターレット１４３は、ＲＣ観察法を行う場合、ＲＣ観察用開口板１４３ｃが光路上に配置され、ＤＩＣ観察法を行う場合、ＤＩＣプリズム１４３ｄが光路上に配置され、ＢＦ観察法またはＰＯ観察法を行う場合、開口１４３ｂが光路上に配置される。
【００３４】
コンデンサレンズ１４４は、光源１１から出射された照明光を集光し、シャーレ１００内の標本Ｓｐを含む領域に対して均一に照射する。なお、コンデンサレンズ１４４は、光源１１から出射された照明光の光量を調整可能な視野絞りと、視野絞りの径を変化させる視野絞り操作部とを設けてもよい。
【００３５】
ステージ１５は、ＸＹＺ方向に移動自在に構成される。ステージ１５は、駆動制御部２５の駆動制御のもと、ステッピングモータまたはＤＣモータ等によって構成されたモータ１５ａによってＸＹ平面内またはＹＺ方向に移動する。ステージ１５は、標本Ｓｐが配置されたシャーレ１００が載置される。なお、ステージ１５に、シャーレ１００を一定温度に保持する加温部を設けてもよい。
【００３６】
ここで、標本Ｓｐが配置されたシャーレ１００について詳細に説明する。図３は、標本Ｓｐを含むシャーレ１００の平面図である。図４は、図３のＡ―Ａ線断面図である。
【００３７】
図３および図４に示すように、顕微授精で用いられるシャーレ１００は、卵子Ｓｐ１０に精子Ｓｐ１１を授精させるＩＣＳＩ用ドロップＲ１（培養液）および精子Ｓｐ１１を選別する精子選別用ドロップＲ２（培養液）が形成され、各ドロップが空気に触れて細菌に感染することを防止するミネラルオイルＷａによって覆われている。なお、シャーレ１００内におけるドロップの数は、適宜変更することができる。
【００３８】
レボルバ１６は、複数の対物レンズ１７が装着される。レボルバ１６は、光路上に対して回転自在に設けられ、対物レンズ１７を標本Ｓｐの下方に配置する。レボルバ１６は、スイングレボルバ等を用いて構成される。レボルバ１６は、駆動制御部２５の駆動制御のもと、ステッピングモータまたはＤＣモータ等によって構成されたモータ１６ａによって回転させられる。また、レボルバ１６は、光路方向に沿って移動可能に設けられ、駆動制御部２５の駆動制御のもと、モータ１６ａによってＺ方向の上下方向へ移動させられる。なお、レボルバ１６に対して光路方向に移動させる焦準機構を別途設けてもよい。
【００３９】
対物レンズ１７は、標本Ｓｐを挟んで、コンデンサレンズ１４４と対向する光路上の位置に配置される。対物レンズ１７は、対物レンズ１７１と、対物レンズ１７２と、対物レンズ１７３と、を有する。
【００４０】
対物レンズ１７１は、卵子の観察に適した倍率、たとえば２０倍または４０倍等の倍率を有する対物レンズであり、ＲＣ観察法に用いられる。対物レンズ１７１は、対物レンズ１７１の瞳位置に、透過率の異なる３つの領域を有するモジュレータ１７１１を有する。モジュレータ１７１１は、１００％の透過率を有する領域１７１１ａと、２５％程度の透過率を有する領域１７１１ｂと、０％の透過率を有する領域１７１１ｃと、を有する。モジュレータ１７１１は、コンデンサレンズ１４４の瞳位置に配置されたＲＣ観察用開口板１４３ｃと光学的に共役な関係を有する。また、対物レンズ１７１は、卵子の全体像を観察対象とし、ほぼ同程度の倍率が要求されるＰＯ観察法にも適用される。
【００４１】
対物レンズ１７２は、精子の観察に適した倍率、たとえば６０倍または１００倍等の高倍率を有する対物レンズであり、ＤＩＣ観察法に用いられる。
【００４２】
対物レンズ１７３は、マイクロピペットの針先の観察に適した倍率、たとえば、４倍の低倍率を有する対物レンズであり、ＢＦ観察法に用いられる。
【００４３】
ＤＩＣプリズム１８は、ＤＩＣプリズム１４３ｄと対を成し、微分干渉光学系を構成する。ＤＩＣプリズム１８は、ノマルスキープリズム等を用いて構成される。ＤＩＣプリズム１８は、対物レンズ１７とアナライザ１９との間の光路上に対して挿脱可能に配置される。また、ＤＩＣプリズム１８は、駆動制御部２５の駆動制御のもと、ステッピングモータまたはＤＣモータ等によって構成されたモータ１８ａによって光路上に配置される。
【００４４】
アナライザ１９は、対物レンズ１７の後段の観察側の光軸ＸＡを中心にして回転可能に配置され、ポラライザ１４１との相対的な位置関係に応じて標本Ｓｐを透過した光の１方向の偏光成分のみを透過させる。また、ポラライザ１４１およびアナライザ１９は、顕微鏡１がＰＯ観察およびＤＩＣ観察を行う場合、互いに偏光方向が直交するクロスニコルの状態になるように配置される。また、アナライザ１９は、駆動制御部２５の駆動制御のもと、ステッピングモータまたはＤＣモータ等によって構成されたモータ１９ａによって光路の光軸ＸＡを中心に回転させられる。なお、アナライザ１９は、光路上に対して挿脱可能であってもよい。
【００４５】
結像レンズ２０は、対物レンズ１７から出射された光を集光して観察像を結像する。結像レンズ２０は、一または複数のレンズを用いて構成される。
【００４６】
光路分割プリズム２１は、結像レンズ２０で結像された観察像の光を撮像部２２と第２ミラー２３に分割する。光路分割プリズム２１は、接合面に光を分割するためのコーティングが施されたプリズムを用いて構成される。
【００４７】
撮像部２２は、結像レンズ２０および光路分割プリズム２１を経て入射された標本Ｓｐの観察像を撮像して画像データを生成し、この画像データを制御部６へ出力する。撮像部２２は、ＣＣＤ（Charge  Coupled  Device）またはＣＭＯＳ（Complementary  Metal  Oxide  Semiconductor）等の撮像素子を用いて構成される。
【００４８】
第２ミラー２３は、結像レンズ２０から出射された観察像を接眼レンズ２４へ向けて反射する。なお、第２ミラー２３と接眼レンズ２４との光路上に、複数のリレーレンズを設けてもよい。
【００４９】
接眼レンズ２４は、結像レンズ２０、光路分割プリズム２１および第２ミラー２３を介して入射された観察像を拡大する。接眼レンズ２４は、一または複数のレンズを用いて構成される。
【００５０】
駆動制御部２５は、駆動ドライバおよびＣＰＵ（Central  Processing  Unit）等を用いて構成され、制御部６の制御のもと、顕微鏡本体部２の各光学ユニットを移動または回転させる。具体的には、駆動制御部２５は、制御部６の制御のもと、モータ１２ａ、モータ１４１ａ、モータ１４２ａ、モータ１４３ａ、モータ１５ａ、モータ１６ａ、モータ１８ａ、モータ１９ａそれぞれを駆動することによって、フィルタホイール１２、ポラライザ１４１、コンペンセータ１４２、コンデンサターレット１４３、ステージ１５、レボルバ１６、ＤＩＣプリズム１８およびアナライザ１９を所定の位置に回転または移動させる。
【００５１】
操作入力部３は、顕微鏡１の各種の操作の入力を受け付ける。操作入力部３は、複数の光学ユニットのうち制御対象の光学ユニットを駆動させる駆動信号の入力をそれぞれ受け付ける複数の入力部を有する。操作入力部３は、キーボード、マウス、ジョイスティック、タッチパネル、ロータリスイッチおよびプルボタン等を用いて構成され、各種スイッチの操作に応じた指示信号を制御部６へ出力する。
【００５２】
図５は、操作入力部３の構成を示す図である。図５に示す操作入力部３は、各観察法を指示する指示信号の入力部、および光学ユニットを駆動させる駆動信号を受け付ける入力部としてのボタンＢ１〜Ｂ１１を有する。ボタンＢ１〜Ｂ１１は、制御部６の制御のもと、顕微鏡本体１０に取り付けられるコンデンサユニット１４に応じて、各観察法を指示する指示信号の入力および光学ユニットを駆動させる駆動信号の入力がそれぞれ割り当てられる。具体的には、観察入力部としてのボタンＢ１〜Ｂ５は、制御部６の制御のもと、各観察法、たとえばＢＦ観察法、２０倍ＲＣ観察法、４０倍ＲＣ観察法、２０倍ＰＯ観察法および６０倍ＤＩＣ観察法のいずれかを指示する指示信号が割り当てられる。また、ボタンＢ６およびＢ７は、コントラストを調整する指示信号が割り当てられる。さらに、ボタンＢ８およびボタンＢ９は、対物レンズ１７の倍率を切り替える駆動信号が割り当てられる。さらにまた、ボタンＢ１０およびボタンＢ１１は、フィルタホイール１２を駆動させる駆動信号が割り当てられる。なお、制御部６は、顕微鏡1のシステム構成に応じて、自動で上記各ボタン(ボタンＢ１〜Ｂ１１)の割り当てを実施しても構わない。
【００５３】
表示部４は、制御部６を介して撮像部２２から入力される画像データに対応する画像を表示する。表示部４は、液晶または有機ＥＬ（Electro  Luminescence）等からなる表示パネルを用いて構成される。
【００５４】
記録部５は、顕微鏡１に実行させる各種プログラム、プログラムの実行中に使用される各種データを記録する。記録部５は、フラッシュメモリおよびＲＡＭ（Random  Access  Memory）等の半導体メモリを用いて構成される。また、記録部５は、観察法毎に光路上における各光学ユニットそれぞれの位置情報を対応付けた設定情報を記録する設定情報記録部５１と、顕微鏡本体部２に取り付けられるコンデンサユニット１４の種別や顕微鏡本体部２に設けられた光学ユニットに応じて、操作入力部３のボタンＢ１〜Ｂ１１に割り当てるシステム照合情報記録部５２と、を有する。
【００５５】
図６は、設定情報記録部５１が記録する設定情報を示す図である。図６に示すように、設定情報Ｔ１には、各観察法に応じた各光学ユニットの位置情報が記録されている。たとえば、図６に示すように、明視野観察法を行う場合、ポラライザ１４１がアナライザ１９に対してパラニコル状態になるように配置され、コンペンセータ１４２が光路上に、コンデンサターレット１４３の開口１４３ｂが光路上に配置され、対物レンズ１７が４倍、ＤＩＣプリズム１８が光路外に配置され、アナライザ１９が光路上に配置される。
【００５６】
図７は、システム照合情報記録部５２が記録するシステム照合情報を示す図である。図７に示すように、システム照合情報Ｔ２には、システム構成と操作入力部３のボタンＢ１〜Ｂ１１の機能の割当情報とが対応付けられて記録されている。たとえば、システム構成「Ａ」の場合、ボタン割当「１」が対応付けられて記録されている。
【００５７】
制御部６は、ＣＰＵ等を用いて構成され、顕微鏡１を構成する各部の動作を統括的に制御する。制御部６は、顕微鏡本体１０に取り付けられたコンデンサユニット１４に応じて、操作入力部３のボタンＢ１〜Ｂ１１に割り当てる機能を設定する。たとえば、制御部６は、顕微鏡本体１０に取り付けられたコンデンサユニット１４の種別がＩＣＳＩの場合、ボタンＢ１〜Ｂ４に各観察法を指示する指示信号の入力を受け付ける機能を割り当てる。また、制御部６は、操作入力部３から入力される操作信号に応じて、駆動制御部２５の駆動制御のもと、各モータを駆動することによって顕微鏡１を構成する各光学ユニットを移動させる。具体的には、制御部６は、設定情報記録部５１が記録する設定情報Ｔ１を参照し、駆動制御部２５に複数の光学ユニットをそれぞれ観察法毎に応じた光路上の位置へ移動させることによって観察法を変更する。なお、制御部６は、顕微鏡1のシステム構成に応じて、自動で上記各ボタン(ボタンＢ１〜Ｂ１１)の割り当てを実施しても構わない。
【００５８】
このように構成された顕微鏡１は、制御部６の制御のもと、フィルタホイール１２、ポラライザ１４１、コンペンセータ１４２、コンデンサターレット１４３、レボルバ１６、ＤＩＣプリズム１８およびアナライザ１９それぞれの光路上における位置や角度を切り替えることで、ＢＦ観察法、ＲＣ観察法、ＰＯ観察法およびＤＩＣ観察法を行うことができる。
【００５９】
つぎに、顕微鏡１が操作入力部３のボタンＢ１〜Ｂ１１に機能を割り当てる処理について説明する。図８は、顕微鏡１が実行する処理の概要を示すフローチャートである。
【００６０】
図８に示すように、顕微鏡１に電源が投入された場合、制御部６は、顕微鏡本体部２に接続されたコンデンサユニット１４を検出し（ステップＳ１０１）、接続されたコンデンサユニット１４の種別に応じたボタン割当情報をシステム照合情報記録部５２から取得する（ステップＳ１０２）。
【００６１】
続いて、制御部６は、操作入力部３の各ボタンに機能を割り当てる（ステップＳ１０３）。たとえば、コンデンサユニット１４がＩＣＳＩ用である場合、図９に示すように、制御部６は、ボタンＢ１〜Ｂ４それぞれにＢＦ観察法、ＲＣ観察法、ＰＯ観察法およびＤＩＣ観察法を指示する指示信号を割り当てる。また、制御部６は、ボタンＢ６およびＢ７それぞれにコントラストを調整する指示信号を割り当てる。さらに、制御部６は、ボタンＢ８およびボタンＢ９それぞれに対物レンズ１７の倍率を切り替える駆動信号を割り当てる。さらにまた、制御部６は、ボタンＢ１０およびボタンＢ１１は、フィルタホイール１２を駆動させる駆動信号を割り当てる。なお、制御部６は、ボタンＢ５には指示信号を割り当てない。
【００６２】
また、コンデンサユニット１４が一般的な標本観察用である場合、図１０に示すように、ボタンＢ１〜Ｂ５それぞれにＢＦ観察法、位相差観察法（以下、「ＰＨ観察法」という）、ＰＯ観察法、ＤＩＣ観察法および蛍光観察法（以下、「ＦＬ観察法」という）を指示する指示信号を割り当てる。また、制御部６は、ボタンＢ６およびＢ７それぞれに蛍光キューブを切り替える駆動信号を割り当てる。さらに、制御部６は、ボタンＢ８およびボタンＢ９それぞれに対物レンズ１７の倍率を切り替える駆動信号を割り当てる。さらにまた、制御部６は、ボタンＢ１０およびボタンＢ１１にフィルタホイール１２を駆動させる駆動信号を割り当てる。ステップＳ１０３の後、顕微鏡１は、本処理を終了する。
【００６３】
以上説明した本発明の実施の形態１によれば、制御部６がコンデンサユニット１４に応じて、操作入力部３の各ボタンに光学ユニットを駆動させる駆動信号および観察法を指示する指示信号を割り当てる。これにより、操作入力部３は、顕微鏡本体１０に取り付けられた光学ユニットに応じて操作入力部の各ボタンの機能が自動的に切り替わる。この結果、光学ユニットが拡張される場合であっても、操作部を増加させることなく、省スペース化を行うとともに、簡易な操作で観察法に応じた光学ユニットを調整することができる。
【００６４】
さらに、本発明の実施の形態１によれば、光学ユニットが拡張された場合であっても、操作入力部３のみで対応することができるので、コストを低下させることができる。
【００６５】
なお、本発明の実施の形態１では、制御部６がコンデンサユニット１４に応じて、操作入力部３の各ボタンに光学ユニットを駆動させる駆動信号および観察法を指示する指示信号を割り当てていたが、顕微鏡１のシステム構成に応じて、操作入力部３の各ボタンに駆動信号および観察法を指示する指示信号を自動的に割り当ててもよい。これにより、操作入力部３のみで、様々な顕微鏡に適用することができる。
【００６６】
また、本発明の実施の形態１では、顕微鏡本体１０に取り付けられる複数の光学ユニットのうち顕微鏡１のモードを切り替える特定の光学ユニットの接続情報（種別情報）に応じて、操作入力部３の各ボタンに駆動信号および観察法を指示する指示信号を割り当ててもよい。これにより、操作入力部３のみで、様々な顕微鏡に適用することができる。
【００６７】
（実施の形態２）
つぎに、本発明の実施の形態２について説明する。本実施の形態２にかかる顕微鏡は、上述した実施の形態１にかかる顕微鏡１と構成が異なるうえ、本実施の形態２にかかる顕微鏡が実行する処理が異なる。このため、以下においては、本実施の形態２にかかる顕微鏡を説明した後に、本実施の形態２にかかる顕微鏡が実行する処理について説明する。なお、上述した実施の形態１にかかる顕微鏡１と同一の構成には同一の符号を付して説明する。
【００６８】
図１１は、本発明の実施の形態２にかかる顕微鏡の概略構成を示すブロック図である。図１１に示す顕微鏡２００は、顕微鏡本体部２と、操作入力部３と、表示部４と、制御部６と、記録部２１０と、を備える。
【００６９】
記録部２１０は、設定情報記録部５１と、システム照合情報記録部５２と、制御対象情報記録部２１１と、を有する。
【００７０】
制御対象情報記録部２１１は、観察法毎に制御する光学ユニットと操作入力部３のボタンとを対応付けた制御対象情報を記録する。図１２は、制御対象情報記録部２１１が記録する制御対象情報を示す図である。図１２に示すように、制御対象情報Ｔ３には、観察法毎に制御する光学ユニットと操作入力部３のボタンとが対応付けられて記録されている。たとえば、ＲＣ観察法には、制御対象としてポラライザ１４１が記載され、操作入力部３のボタンとしてボタンＢ６，Ｂ７とが対応付けられて記載されている。
【００７１】
このように構成された顕微鏡２００が実行する処理について説明する。図１３は、顕微鏡２００が実行する処理の概要を示すフローチャートである。
【００７２】
図１３に示すように、制御部６は、操作入力部３から観察法を指示する指示信号が入力されたか否かを判断する（ステップＳ２０１）。具体的には、制御部６は、操作入力部３のボタンＢ１〜Ｂ５のいずれかから観察法を指示する指示信号が入力されたか否かを判断する。制御部６が操作入力部３から観察法を指示する指示信号が入力されたと判断した場合（ステップＳ２０１：Ｙｅｓ）、顕微鏡２００は、ステップＳ２０２へ移行する。これに対して、制御部６が操作入力部３から観察法を指示する指示信号が入力されていないと判断した場合（ステップＳ２０１：Ｎｏ）、制御部６は、操作入力部３から観察法を指示する指示信号が入力されるまで待機する。
【００７３】
ステップＳ２０２において、制御部６は、操作入力部３から入力された指示信号の観察法に応じた設定情報Ｔ１を設定情報記録部５１から取得する。
【００７４】
続いて、制御部６は、設定情報記録部５１から取得した設定情報Ｔ１に基づいて、各光学ユニットを駆動させる（ステップＳ２０３）。具体的には、制御部６は、操作入力部３からＤＩＣ観察法を指示する指示信号が入力された場合、駆動制御部２５の駆動制御のもと、各モータを駆動することにより、ポラライザ１４１とアナライザ１９とをクロスニコルの状態に配置するとともに、コンペンセータ１４２をアナライザ１９に対してクロスニコルの状態に配置する。
【００７５】
その後、制御部６は、全光学ユニットの駆動が終了したか否かを判断する（ステップＳ２０４）。制御部６が全光学ユニットの駆動が終了したと判断した場合（ステップＳ２０４：Ｙｅｓ）、顕微鏡２００は、ステップＳ２０５へ移行する。これに対して、制御部６が全光学ユニットの駆動が終了していないと判断した場合（ステップＳ２０４：Ｎｏ）、制御部６は、この判断を続ける。
【００７６】
ステップＳ２０５において、制御部６は、観察法に応じた制御対象情報を制御対象情報記録部２１１から取得する。
【００７７】
続いて、制御部６は、操作入力部３のボタンから入力される指示信号に応じて制御する光学ユニットの割当を行う（ステップＳ２０６）。具体的には、制御部６は、顕微鏡２００の観察法としてＤＩＣ観察法が設定された場合、ボタンＢ６およびボタンＢ７から入力される駆動信号に応じて制御する対象をＤＩＣプリズム１８に切り替える。これにより、ユーザがボタンＢ６，Ｂ７を操作した場合、制御部６は、ボタンＢ６またはボタンＢ７ら入力される駆動信号に応じて、駆動制御部２５の駆動制御のもと、モータ１８ａを駆動することにより、ＤＩＣプリズム１８を駆動させる。
【００７８】
その後、操作入力部３のボタンＢ６またはＢ７からコントラストを調整する指示信号が入力された場合（ステップＳ２０７：Ｙｅｓ）、制御部６は、駆動制御部２５の駆動制御のもと、各モータを駆動することにより、制御対象の光学ユニットを駆動する（ステップＳ２０８）。たとえば、制御部６は、ユーザがボタンＢ６またはボタンＢ７を操作した場合、ボタンＢ６またはボタンＢ７から入力される駆動信号に応じて、駆動制御部２５の駆動制御のもと、モータ１８ａを駆動することにより、ＤＩＣプリズム１８を光軸ＸＡに対して垂直方向にスライドさせる。
【００７９】
続いて、標本Ｓｐの観察を終了する場合（ステップＳ２０９：Ｙｅｓ）、顕微鏡２００は、本処理を終了する。これに対して、標本Ｓｐの観察を終了しない場合（ステップＳ２０９：Ｎｏ）、顕微鏡２００は、ステップＳ２０７へ戻る。
【００８０】
ステップＳ２０７において、操作入力部３のボタンＢ６またはボタンＢ７からコントラストを調整する駆動信号が入力されていない場合（ステップＳ２０７：Ｎｏ）、顕微鏡２００は、ステップＳ２０９へ移行する。
【００８１】
以上説明した本発明の実施の形態２によれば、制御部６が観察法毎にボタンＢ６およびＢ７の制御対象となる光学ユニットの割り当てを切り替える。これにより、複数の光学ユニットを１つの操作で行うことができる。この結果、簡易な操作で観察法に応じた光学ユニットを調整することができる。
【００８２】
（実施の形態３）
つぎに、本発明の実施の形態３について説明する。本実施の形態３にかかる顕微鏡は、上述した実施の形態１にかかる顕微鏡と構成が異なる。このため、以下においては、本実施の形態３にかかる顕微鏡の構成について説明する。なお、上述した実施の形態１にかかる顕微鏡１と同一の構成には同一の符号を付して説明する。
【００８３】
図１４は、本発明の実施の形態３にかかる顕微鏡の概略構成を示すブロック図である。図１４に示す顕微鏡３００は、操作入力部３と、表示部４と、記録部５と、制御部６と、顕微鏡本体部４００と、を備える。
【００８４】
顕微鏡本体部４００は、光源１１と、フィルタホイール１２と、第１ミラー１３と、ステージ１５と、レボルバ１６と、対物レンズ１７と、ＤＩＣプリズム１８と、アナライザ１９と、結像レンズ２０と、光路分割プリズム２１と、撮像部２２と、第２ミラー２３と、接眼レンズ２４と、駆動制御部２５と、コンデンサユニット５００と、電動蛍光ミラーユニット６００と、を備える。
【００８５】
コンデンサユニット５００は、顕微鏡本体１０の第２アーム部１０４に着脱自在に取り付けられる。コンデンサユニット５００は、ポラライザ１４１と、コンデンサレンズ１４４と、コンデンサターレット５０１と、を有する。
【００８６】
コンデンサターレット５０１は、ＰＨ観察用の位相差用光学素子５０２と、ＤＩＣ観察用のＤＩＣプリズム５０７と、を有する。コンデンサターレット５０１は、駆動制御部２５の駆動制御のもと、ステッピングモータまたはＤＣモータ等によって構成されたモータ５０１ａによって回転させられる。
【００８７】
電動蛍光ミラーユニット６００は、複数の蛍光キューブを有する。具体的には、電動蛍光ミラーユニット６００は、第１蛍光キューブ６０１と、第２蛍光キューブ６０２と、第３蛍光キューブ６０３と、を有する。電動蛍光ミラーユニット６００は、ステッピングモータやＤＣモータによって構成されたモータ６００ａによって光路上に第１蛍光キューブ６０１、第２蛍光キューブ６０２および第３蛍光キューブ６０３のいずれかを配置する。
【００８８】
このように構成された顕微鏡３００は、制御部６が接続された光学ユニットに応じて操作入力部３のボタンＢ６〜Ｂ１１に割り当てる制御対象の駆動信号を切り替える。たとえば、制御部６に通信ケーブルおよび駆動制御部２５を介してフィルタホイール１２が接続されている場合、上述した図１０に示すように、ボタンＢ１０およびボタンＢ１１にフィルタホイール１２を駆動させる駆動信号を割り当てる。これに対して、制御部６に通信ケーブルおよび駆動制御部２５を介してＤＩＣプリズム１８が接続されている場合、制御部６は、ボタンＢ１０およびボタンＢ１１にＤＩＣプリズム１８を駆動させる駆動信号を割り当てる。また、制御部６は、通信ケーブルおよび駆動制御部２５を介して接続された光学ユニットに応じて、操作入力部３のボタンＢ１〜Ｂ５それぞれに観察法を指示する指示信号の割り当てを切り替える。なお、ユーザは、フィルタホイール１２またはＤＩＣプリズム１８を顕微鏡３００のオプションの一つとしてどちらか一方を選択して駆動制御部２５に接続するので、フィルタホイール１２およびＤＩＣプリズム１８が互いに排他関係となる。
【００８９】
以上説明した本発明の実施の形態３によれば、制御部６が接続された光学ユニットに応じて、操作入力部３の各ボタンに光学ユニットを駆動させる駆動信号を割り当てる。これにより、操作入力部３の各ボタンの機能を自動で切り替えることができる。
【００９０】
さらに、本発明の実施の形態３によれば、制御部６が接続された光学ユニットに応じて、操作入力部３の各ボタンに観察法を指示する指示信号の割り当てを切り替える。これにより、顕微鏡３００の観察法を自動的に切り替えることができる。
【００９１】
また、本発明の実施の形態３によれば、システム毎に同じ操作入力部３で操作することができる。これにより、システムの拡張によって操作入力部３の数を最小に留めることができ、操作が煩雑化することを防止することができる。
【００９２】
さらにまた、本発明の実施の形態３によれば、ＩＣＳＩの顕微鏡であっても、ユーザが所望する観察法に応じて光学ユニットを顕微鏡本体１０に取り付けるだけで、取り付けた光学ユニットにより実施可能な観察法を行うことができる。
【００９３】
（実施の形態４）
つぎに、本発明の実施の形態４について説明する。本発明の実施の形態４にかかる顕微鏡は、上述した実施の形態３にかかる顕微鏡と構成が異なるうえ、処理が異なる。このため、以下においては、本実施の形態４にかかる顕微鏡の構成を説明後、本実施の形態４にかかる顕微鏡が実行する処理について説明する。なお、上述した実施の形態３にかかる顕微鏡３００と同一の部分には同一の符号を付して説明する。
【００９４】
図１５は、本発明の実施の形態４にかかる顕微鏡の概略構成を示すブロック図である。図１５に示す顕微鏡７００は、操作入力部３と、表示部４と、記録部５と、顕微鏡本体部４００と、制御部８００と、を備える。
【００９５】
制御部８００は、ＣＰＵおよびロータリスイッチ等を用いて構成され、顕微鏡７００を構成する各部の動作を統括的に制御する。制御部８００は、顕微鏡本体部４００に取り付けられたコンデンサユニット５００の種別に応じて、操作入力部３のボタンＢ１〜Ｂ１１に割り当てる機能を設定する。また、制御部８００は、モード切替スイッチ８０１と、切替制御部８０２と、を有する。
【００９６】
モード切替スイッチ８０１は、ロータリスイッチを用いて構成され、顕微鏡７００のモードを切り替える切替信号の入力を受け付ける。たとえば、モード切替スイッチ８０１は、スイッチの位置に応じて、顕微鏡７００をＩＣＳＩの顕微鏡または生物顕微鏡に切り替える切替信号を入力する。なお、本実施の形態４では、モード切替スイッチ８０１がモード切替部として機能する。
【００９７】
切替制御部８０２は、モード切替スイッチ８０１から入力される切替信号に応じて、操作入力部３のボタンＢ１〜Ｂ１１それぞれが駆動信号で入力を受け付ける光学ユニットの割り当てを切り替える。具体的には、切替制御部８０２は、モード切替スイッチ８０１から入力される切替信号がＩＣＳＩの場合、ボタンＢ１０およびボタンＢ１１に割り当てた減光フィルタの切替を指示する指示信号の入力を受け付けないように規制する。たとえば、ユーザによってボタンＢ１０またはボタンＢ１１が操作された場合であっても、制御部８００は、フィルタホイール１２を駆動させない。
【００９８】
このように構成された顕微鏡７００が実行する処理について説明する。図１４は、顕微鏡７００が実行する処理の概要を示すフローチャートである。
【００９９】
図１４に示すように、ステップＳ３０１〜ステップＳ３０３は、図８で上述したステップＳ１０１〜ステップＳ１０３にそれぞれ対応する。
【０１００】
ステップＳ３０４において、切替制御部８０２は、モード切替スイッチ８０１の位置に応じて顕微鏡７００のモードを切り替える。
【０１０１】
以上説明した本発明の実施の形態４によれば、切替制御部８０２がモード切替スイッチ８０１から入力される切替信号に応じて、操作入力部３の各ボタンに割り当てる機能を規制する。これにより、ユーザが所望する操作内容のみを反映させることができる。
【０１０２】
本発明では、制御部が操作入力部３のボタンＢ１〜Ｂ５それぞれに観察法を指示する指示信号を、およびボタンＢ６〜Ｂ１１それぞれに光学ユニットを駆動させる駆動信号を割り当てていたが、ボタンＢ１〜Ｂ５それぞれに光学ユニットを駆動させる駆動信号およびボタンＢ６〜Ｂ１１それぞれに観察法を指示する指示信号を割り当ててもよい。もちろん、ボタンＢ１〜Ｂ１１それぞれに指示信号または駆動信号の機能の割り当てを適宜変更してもよい。
【０１０３】
また、本発明では、顕微鏡本体部、操作入力部、表示部、記録部および制御部を備えた顕微鏡を例に説明したが、たとえば試料を拡大する対物レンズ、対物レンズを介して試料を撮像する撮像機能、および画像を表示する表示機能を備えた撮像装置、たとえばビデオマイクロスコープ等であっても、本発明を適用することができる。
【０１０４】
また、本発明では、顕微鏡装置として卵子に精子を注入するＩＣＳＩに用いられる倒立型顕微鏡装置を例に説明したが、たとえば正立型顕微鏡装置であっても適用することができる。さらに、顕微鏡装置を組み込んだライン装置といった各種システムにも、本発明を適用することができる。
【０１０５】
また、本発明では、ポラライザとアナライザとをクロスニコルの状態にするため、ポラライザを回転させていたが、たとえばアナライザを回転させる場合であっても適用することができる。もちろん、ポラライザとアナライザとをそれぞれ回転させる場合であっても適用することができる。
【符号の説明】
【０１０６】
１，２００，３００，７００  顕微鏡
２，４００  顕微鏡本体部
３  操作入力部
４  表示部
５，２１０  記録部
６，８００  制御部
１０  顕微鏡本体
１１  光源
１２  フィルタホイール
１３  第１ミラー
１４，５００  コンデンサユニット
１５  ステージ
１６  レボルバ
１７  対物レンズ
１８  ＤＩＣプリズム
１９  アナライザ
２０  結像レンズ
２１  光路分割プリズム
２２  撮像部
２３  第２ミラー
２４  接眼レンズ
２５  駆動制御部
５１  設定情報記録部
５２  システム照合情報記録部
１００  シャーレ
１４１  ポラライザ
１４２  コンペンセータ
１４２ａ  モータ
１４３，５０１  コンデンサターレット
１４４  コンデンサレンズ
２１１  制御対象情報記録部
６００  電動蛍光ミラーユニット
８０１  モード切替スイッチ
８０２  切替制御部
Ｂ１〜Ｂ１１  ボタン
Ｓｐ  標本
Ｔ１  設定情報
Ｔ２  システム照合情報
Ｔ３  制御対象情報
ＸＡ  光軸
【図１】
2014197108.tif 000003
【図２】
2014197108.tif 000004
【図３】
2014197108.tif 000005
【図４】
2014197108.tif 000006
【図５】
2014197108.tif 000007
【図６】
2014197108.tif 000008
【図７】
2014197108.tif 000009
【図８】
2014197108.tif 000010
【図９】
2014197108.tif 000011
【図１０】
2014197108.tif 000012
【図１１】
2014197108.tif 000013
【図１２】
2014197108.tif 000014
【図１３】
2014197108.tif 000015
【図１４】
2014197108.tif 000016
【図１５】
2014197108.tif 000017
【図１６】
2014197108.tif 000018